(57)【特許請求の範囲】
【請求項１】
機台フレームと、中央部が前記機台フレームに揺動可能に支持された稍長六角形状の支持フレームと、前記支持フレームの両端部にそれぞれ設けられた回転カッタと、前記機台フレームに設けられ、その回転軸が前記支持フレームの揺動中心部に導かれた回転カッタ回転駆動モータと、前記回転カッタ回転駆動モータの回転力を前記回転カッタに伝達する伝達部材からなり、前記機台フレームの下面側に、前記機台フレームに対して水平方向に揺動可能に取付けられたカッタ装置と、前記カッタ装置を前記機台フレームに対して、揺動駆動させる揺動駆動装置と、前記機台フレームに設けられ、前記回転カッタのＵ字溝の上縁部から切削深さを調節する深さ設定装置とを備えたことを特徴とするＵ字溝切断装置。
【請求項２】
前記深さ設定装置は、Ｕ字溝の外縁部に接地する回転ローラと、前記回転ローラと機台フレームとの相対位置を変更可能にする変更可能手段とを備えることを特徴とする請求項１に記載のＵ字溝切断装置。
【請求項３】
前記機台フレームに、作業機のフロント部への取付孔を有し、前記機台フレームに対して水平方向に揺動可能に取付けた取付ブラケットを備えたことを特徴とする請求項１または２に記載のＵ字溝切断用アタッチメント。
【発明の詳細な説明】
【０００１】
【発明の属する技術分野】
本発明は、コンクリート製のＵ字溝ブロックの側溝の改装の際に使用されるＵ字溝切断装置およびＵ字溝切断用アタッチメントに関するものである。
【０００２】
【従来の技術】
従来、住宅地などの道路の両側又は一側にあるコンクリート製のＵ字溝ブロックの側溝に、雨水や住宅からの生活廃水などが流れ込み、これが河川へとつながり排水されていた。しかしながら、最近、道路下に埋設された下水管による下水道が完備されてきており、この道路下に埋設された下水管に従来のコンクリート製のＵ字溝ブロックなどの側溝は、取って代わられつつあり、雨水や住宅からの生活廃水などは、直接下水道に流されるようになっており、Ｕ字溝自体が利用されなくなってきている。
【０００３】
このため、利用されなくなった既設のコンクリート製のＵ字溝ブロックをそのままにして置いてもよいが、Ｕ字溝の上部が開いている場合には、歩行者や自動車の通行の際、邪魔になりそのままの状態で放置することは好ましいことではない。また、例え上部の開口されたＵ字溝がコンクリート製の蓋体によって覆っている場合もあるが、歩行や自動車の走行時にガタガタとの騒音を発することがあり、道路近くに住む住民にとって好ましい状況とは云えない。
【０００４】
また、このようにＵ字溝の上部が蓋体で覆われていたとしても、排水路として利用されていないＵ字溝内に泥などが雨水と共に流れ込んで途中で詰まり、このため、Ｕ字溝に流れ込んだ雨水が道路上に溢れ出て、通行や衛生面と云った日常生活に不都合を起こすことがある。
【０００５】
最近、この利用されなくなったＵ字溝を掘り起こして撤去しようとする動きがある。住宅や塀の際に設けられているＵ字溝は、これらを掘り起こしてＵ字溝を撤去作業を行うにも、Ｕ字溝の周辺を含めて大きく掘らなければならず、個人の所有地をも掘り起こすことになるために掘削のための許可を得る必要があり、住民に対しての掘り起こしのための許可を得る手続きが面倒である。また、Ｕ字溝の掘り起こしによって地盤が崩れて塀や家が壊れるのではないかと云った心配が掘り起こす側溝の近くに住む住民にあり、作業としてはし難い作業である。
【０００６】
このため、最近ではコンクリート製のＵ字溝ブロックの周辺を掘って撤去すると云う作業をやめて、Ｕ字溝の内部を土やセメント等で埋めてしまい、その上に蓋体としての断面Ｌ字形のコンクリートブロックをその上に設置するようにしているが、従来道路面と同一面になっている既設のコンクリート製のＵ字溝ブロックの上部に厚みのある断面Ｌ字形のブロックを載せることになるため、道路の側方部が、断面Ｌ字状の蓋体の厚み分地面から出っ張ってしまうことになる。
【０００７】
このため、既設のコンクリート製のＵ字溝ブロックの上部を断面Ｌ字形のコンクリートブロックの厚み相当分だけ切断し、その上に断面Ｌ字状の蓋体を載せて地面との高さを調節する必要がある。
【０００８】
【発明が解決しようとする課題】
しかしながら、従来、道路の側方に埋設されたコンクリート製のＵ字溝ブロックの上部を切断するための専用の作業機はなく、このため人手でハンマーとタガネとのハツリ作業によってコンクリート製のＵ字溝ブロックの上部を切断していた。しかしながら、ハンマーとタガネとのハツリ作業では、作業効率も悪く、作業終了までに多くの時間と人手を要していた。ハンドブレーカーなどの破砕機を使用しての作業も行われているが、必要以上に破壊されてしまい、設計通りの寸法に切断することはなかなか困難であった。また、ハンドブレーカーでは、破砕物が周辺に飛散し危険な作業でもあった
【０００９】
そこで、本発明は、上述した課題によりなされたもので、コンクリート製のＵ字溝ブロックの上部を効率よく切断することができるＵ字溝切断装置及びＵ字溝切断用アタッチメントを提供するものである。
【００１０】
【課題を解決するための手段】
上記の目的を達成するため、本発明の請求項１に記載の発明は、機台フレームと、中央部が前記機台フレームに揺動可能に支持された稍長六角形状の支持フレームと、前記支持フレームの両端部にそれぞれ設けられた回転カッタと、前記機台フレームに設けられ、その回転軸が前記支持フレームの揺動中心部に導かれた回転カッタ回転駆動モータと、前記回転カッタ回転駆動モータの回転力を前記回転カッタに伝達する伝達部材からなり、前記機台フレームの下面側に、前記機台フレームに対して水平方向に揺動可能に取付けられたカッタ装置と、前記カッタ装置を前記機台フレームに対して、揺動駆動させる揺動駆動装置と、前記機台フレームに設けられ、前記回転カッタのＵ字溝の上縁部から切削深さを調節する深さ設定装置とを備えたことを特徴とするものである。
【００１２】
また、上記の目的を達成するため、本発明の請求項２に記載の発明は、前記深さ設定装置は、Ｕ字溝の外縁部に接地する回転ローラと、前記回転ローラと機台フレームとの相対位置を変更可能にする変更可能手段とを備えることを特徴とするものである。
【００１３】
また、上記の目的を達成するため、本発明の請求項３に記載の発明は、前記機台フレームに、作業機のフロント部への取付孔を有し、前記機台フレームに対して水平方向に揺動可能に取付けた取付ブラケットを備えたことを特徴とするものである。
【００１４】
【発明の実施の形態】
以下、本発明の実施の形態を図１〜７によって説明する。図１は、アームの先端に本発明のＵ字溝切断用アタッチメントを装備した小型のショベル系の掘削作業機の概略側面図、図２は、図１の平面図、図３は、本発明のＵ字溝切断用アタッチメントの側面図、図４は、本発明のＵ字溝切断用アタッチメントをＵ字溝内に配置した平面図、図５は、本発明のＵ字溝切断用アタッチメントをＵ字溝内で作業状態に配置した平面図、図６は、本発明の手押し移動式のＵ字溝切断装置の概略側面図、図７は、手押し移動式のＵ字溝切断切断装置をＵ字溝内に配置した平面図である。
【００１５】
符号Ａは小型のショベル系の掘削作業機であり、下部走行体１とこの下部走行体１の上に設けた旋回装置を介して旋回自在に取付けられ上部旋回体２とからなつている。下部走行体１の前方には地均し用の地均し用ブレード３が設けられている。また、上部旋回体２の前方に設けられたブーム支持体４にブーム５が上下左右方向に回動自在に取付けられており、ブーム５の先端にはアーム６が設けられ、該アーム６の先端部には四節リンク７が設けられており、該四節リンク７の前端には、Ｕ字溝切断用アタッチメントＢの取付けブラケット１３が取付けられ、これらブーム５、アーム６及び四節リンク７は、それぞれ油圧シリンダー８、９、１０の伸縮によって駆動される。
【００１６】
また、小型のショベル系の掘削作業機Ａには、標準装備されている走行用油圧モーター、旋回用油圧モーターや油圧シリンダー８、９、１０および地均し用ブレード３用の油圧シリンダー等のアクチュエーターと共に、予め予備作業用としての予備油圧源取出口１１が標準装備されており、この予備油圧源取出口１１に油圧ホース１２が接続されて種々の予備作業用機器に圧油が供給されるようになっている。
【００１７】
次に、本発明のＵ字溝切断用アタッチメントＢの構成について説明すると、Ｕ字溝切断用アタッチメントＢは、略方形の機台フレーム１７に、小型のショベル系の掘削作業機Ａの四節リンク７に取付ける取付孔１４、１４を有する取付けブラケット１３、１３を設けた取付けブラケットフレーム１９を取付軸２０で揺動自在に取付けている。
【００１８】
また、本発明のＵ字溝切断用アタッチメントＢは、小型のショベル系の掘削作業機Ａのアーム６の先端に取付けられた四節リンク７に取付けブラケットフレーム１９を取付けて、Ｕ字溝上に載置されるようになっている。
【００１９】
また、該機台フレーム１７の下面後部には、油圧シリンダー取付軸２２が設けられ、この油圧シリンダー取付軸２２に油圧シリンダー２３の後端が取付けられており、油圧シリンダー２３の先端には枢軸２４を介して稍長六角形状をした可動フレーム２５が接続されている。
【００２０】
前記取付けブラケットフレーム１９には、油圧ホース接続口１５が設けられており、小型のショベル系の掘削作業機Ａに設けた予備油圧源取出口１１と油圧ホース１２で接続されて、小型のショベル系の掘削作業機Ａから油圧の供給を受けて油圧シリンダー２３、及び機台フレーム１７の上面の取付けブラケットフレーム１９の前方寄りにボルト２７、２７で取付けられた油圧モータ２６に圧油が供給されるようになっている。
【００２１】
そして、機台フレーム１７の上面には、油圧モータ２６がベアリング２７ａを介して、機台フレーム１７に対して回動可能に設けられ、この油圧モータ２６の駆動軸３３は機台フレーム１７を貫き、下側面に突出するように設けられる。また機台フレーム１７の下面には、油圧モータ２６駆動軸３３が回動中心部となるようにベアリング２７ｂを介して支持台２８が機台フレーム１７に対して回動可能に設けられ、この支持台２８に稍長六角形状の可動フレーム２５が取付けられる。この可動フレーム２５の後端は、枢軸２４を介して油圧シリンダー２３の先端に接続されており、油圧シリンダー２３の伸縮操作により可動フレーム２５の中央部を揺動中心として左右方向に揺動される。
【００２２】
可動フレーム２５の下面の前端部には、プーリー２９に取付けられた回転カッター３０が、後端部には、プーリー３１に取付けられた回転カッター３２がそれぞれ設けられている。また、前記油圧モータ２６の駆動軸３３が可動フレーム２５に設けられた駆動プーリー３４が回転駆動され、そしてこの駆動プーリー３４、プーリー２９、３１にわたって駆動ベルト３５が掛け回されている。
【００２３】
Ｕ字溝切断用アタッチメントＢのコンクリート製のＵ字溝ブロック側壁１６の上端上の移動は、小型のショベル系の掘削作業機Ａの走行によって移動され、Ｕ字溝切断用アタッチメントＢを構成する機台フレーム１７の四隅には、コンクリート製のＵ字溝ブロック側壁１６の上端にＵ字溝切断用アタッチメントＢを載置走行するため下端に車３７を有する高さ調整ネジ３８が設けられている。符号３９は高さ調整ネジ３８をガイドする脚で、また、符号４０は高さ調整ネジ３８の上部に設けられたネジヘッドである。
【００２４】
次に、手押し移動式のＵ字溝切断装置Ｂの動力源は、小型のショベル系の掘削作業機Ａの予備油圧源取出口１１から供給されるが、手押し移動式のＵ字溝切断装置Ｂの移動は、小型のショベル系の掘削作業機Ａの走行によらず、手押し移動式のＵ字溝切断装置Ｂに走行用の車を設け、Ｕ字溝切断用アタッチメントＢに設けた把手を作業者が、押しながら作業場所を移動するようにした手押し移動式のＵ字溝切断装置を図６、７に基づいて説明する。
【００２５】
図６は、手押し移動式のＵ字溝切断装置の概略側面図であり、図７は、本発明の手押し移動式のＵ字溝切断装置の平面図である。本発明の手押し移動式のＵ字溝切断装置の枠体を構成する略方形の機台フレーム１７には、油圧ホース接続口１５が設けられており、小型のショベル系の掘削作業機Ａに設けた予備油圧源取出口１１と油圧ホース１２で接続されて、小型のショベル系の掘削作業機Ａから油圧の供給を受けるようになっている。また、機台フレーム１７の上面後部両側には、把手取付けブラケット４１、４１が直接取付けられており、この把手取付けブラケット４１、４１に把手４２の端部が枢止される。
【００２６】
機台フレーム１７の上面の中央部に設けられた穴部に、スラスト軸受けにより支承された円筒体２７を取付け、この円筒体２７内に油圧モータ２６の駆動軸３３を収納している。円筒体２７の下端には、支持台２８をボルトによって取付けられており、この支持台２８に稍長六角形状の可動フレーム２５の中央部が取付けられている。このように稍長六角形状の可動フレーム２５は、機台フレーム１７に対してスラスト軸受により支承されており、この可動フレーム２５の後端は、枢軸２４を介して油圧シリンダー２３の先端に接続されているので、油圧シリンダー２３の伸縮操作により、機台フレーム１７に対して可動フレーム２５の中央部を揺動中心として左右方向に揺動される。
【００２７】
稍長六角形状の可動フレーム２５の中央部には駆動プーリー３４が設けられ、該駆動プーリー３４は、前記円筒体２７の下端から突出する油圧モータ２６の駆動軸３３の他端と接続している。また、稍長六角形状の可動フレーム２５の下面の前端部にはプーリー２９に取付けられた回転カッター３０が、後端部にはプーリー３１に取付けられた回転カッター３２がそれぞれ設けられている。
【００２８】
そして、油圧モータ２６の駆動軸３３の回転駆動により駆動プーリー３４が回転駆動され、そして、この駆動プーリー３３、プーリー２９、プーリー３１に掛け回されている駆動ベルト３５によってプーリー２９、プーリー３１が回転され各プーリー２９、３１に取付けられている回転カッター３０、回転カッター３２が回転される。前述した小型のショベル系の掘削作業機Ａのアーム６の先端に設けられた四節リンク７に取付けられるＵ字溝切断用アタッチメントＢと略同様の構成を具備している。
【００２９】
Ｕ字溝切断用アタッチメントＢのコンクリート製のＵ字溝ブロック側壁１６の上端上の移動は、作業者がＵ字溝切断用アタッチメントＢを構成する機台フレーム１７の後方に設けた把手４２を押したり引いたりすることによって移動されるが、この移動のために、機台フレーム１７の四隅には、下端に車３７を有する高さ調整ネジ３８が設けられている。なお、符号３９は高さ調整ネジ３８をガイドする脚で、また、符号４０は高さ調整ネジ３８の上部に設けられたネジヘッドである。
【００３０】
次に、上記構成を有する本発明のＵ字溝切断用アタッチメントによる切断作業工程について説明する。小型のショベル系の掘削作業機Ａのアーム６の先端に設けられた四節リンク７に、Ｕ字溝切断用アタッチメントＢを取付けた本発明のＵ字溝切断用アタッチメントの動作について説明する。
先ず第一工程として、利用されなくなったＵ字溝の内部に所定深さまで（Ｕ字溝の側壁の切断予定高さになるまで）土やコンクリート等で埋め、コンクリートを固化させておく。
【００３１】
次に、小型のショベル系の掘削作業機Ａのアーム６の先端部の四節リンクに、Ｕ字溝切断用アタッチメントＢの機台フレーム１７の取付けブラケットフレーム１９に設けた取付けブラケット１３、１３をボルトにより取付ける。そして、掘削作業機Ａに標準装備された予備油圧源取出口１１に油圧ホース１２の一端を接続し、油圧ホース１２の他端を、Ｕ字溝切断用アタッチメントＢの機台フレーム１７の取付けブラケットフレーム１９の油圧ホース接続口１５に接続する。
【００３２】
次に、小型のショベル系の掘削作業機Ａの油圧シリンダー８、９、１０を駆動してブーム５、アーム６及び四節リンク７を操作し、四節リンク７に設けられたＵ字溝切断用アタッチメントＢを、切断する側溝のコンクリート製のＵ字溝ブロックの上端に載置すると共に、図示されていない制御装置により小型のショベル系の掘削作業機Ａの予備油圧源取出口１１−油圧ホース１２−油圧ホース接続口１５を経て、Ｕ字溝切断用アタッチメントＢの機台フレーム１７に設けられた油圧モーター２６に圧油を供給し、油圧モーター２６を回転駆動する。
【００３３】
油圧モーター２６の回転は、駆動軸３３から駆動プーリー３４−駆動ベルト３５−プーリー２９とプーリー３１を経て回転カッター３０と回転カッター３２を回転させる。これら回転カッター３０と回転カッター３２が回転してから、図示されていない制御装置により油圧シリンダー２３を伸縮操作させることにより、回転カッター３０と回転カッター３２を備えた可動フレーム２５を可動フレーム２５の中央部を揺動中心として左右いずれかの方向に揺動し、回転カッター３０と回転カッター３２の刃先をそれぞれコンクリート製のＵ字溝ブロックの切断する側壁１６に合わせる。
【００３４】
このとき、回転カッター３０と回転カッター３２の側に設けられている冷却水ホース３６から回転カッター３０と回転カッター３２の刃先に向けて放水することにより、切断による回転カッターの刃先を冷却すると共に、コンクリート製のＵ字溝ブロックの切断の際に発生する粉塵の飛散を防止する。
【００３５】
なお、小型のショベル系の掘削作業機Ａの四節リンク７に設けられたＵ字溝切断用アタッチメントＢとコンクリート製のＵ字溝ブロック側壁１６との取付角度の調整については、小型のショベル系の掘削作業機Ａの上部旋回体２の前方に設けられたブーム支持体４にブーム５が上下左右方向に回動自在に取付けられており、また、機台フレーム１７と取付けブラケットフレーム１９とは、取付軸２０で回動自在に取付けられており、ボルト２１、２１の取付位置を適宜変更することで機台フレーム１７と取付けブラケットフレーム１９との取付角度を調整することができるので、側溝の方向に小型のショベル系の掘削作業機Ａの走行方向を容易に合わせることが可能である。
【００３６】
回転カッター３０と回転カッター３２の刃先をコンクリート製のＵ字溝ブロックの切断する側壁１６に合わせる際、コンクリート製のＵ字溝ブロック側壁１６の両外側面側にある土で保持されているので、Ｕ字溝ブロック側壁１６の上部に回転カッターの刃先を押し当てても対抗力があり、Ｕ字溝ブロック側壁１６の上端部が単に外側に拡がることなく、回転カッター３０と回転カッター３２でＵ字溝ブロック側壁１６の上部を切断することができる。
【００３７】
このように小型のショベル系の掘削作業機Ａのアーム５の四節リンク７に設けられたＵ字溝切断用アタッチメントＢの回転カッター３０と回転カッター３２によってコンクリート製のＵ字溝ブロックの側壁１６の上部を切断すると、掘削作業機Ａを次の未切断のコンクリート製のＵ字溝ブロック部分に移動させ、前述した作業工程を順次繰り返しながら、利用されなくなったＵ字溝の上部を切断していく。
【００３８】
次に、手押し移動式のＵ字溝切断装置の動作について説明すると、先ず、利用されなくなったＵ字溝の内部に所定深さまで（Ｕ字溝の側壁の切断予定高さになるまで）土やコンクリート等で埋め、コンクリートを固化させる。
【００３９】
次に、このように内部を土やコンクリート等で埋めたＵ字溝の両側壁１６、１６の上端に、機台フレーム１７の後方端近傍及び前方のアームに取付けた高さ調整ネジの下端に設けた車３７を載置する前作業として、機台フレーム１７の後方に取付けた高さ調整ネジ３８、３８の下端に設けた車３７、３７が載置される前記Ｕ字溝の両側壁１６、１６の上端を、予めタガネとハンマーとによってＵ字溝の側壁の切断予定深さまでハツる。
【００４０】
このハツられたＵ字溝の両側壁１６、１６の上とＵ字溝の両側壁１６、１６の上端とに、機台フレーム１７の後方に取付けられた高さ調整ネジ３８、３８の長さを調節し下端に設けられた車３７、３７と、機台フレーム１７の前方に取付けた高さ調整ネジ３８、３８の長さを調節し下端に設けられた車３７、３７とを載置する。
【００４１】
そして、図示されていない制御装置により小型のショベル系の掘削作業機Ａの予備油圧源取出口１１から油圧ホース１２−機台フレーム１７の油圧ホース接続口１５に接続し、Ｕ字溝切断用アタッチメントＢの機台フレーム１７に設けられた油圧モーター２６に圧油を供給し、油圧モーター２６を回転駆動する。
【００４２】
なお、回転カッター３０と回転カッター３２を回転駆動する駆動源として、油圧モーター２６を使用し、この油圧モーター２６の駆動源として、小型のショベル系の掘削作業機Ａの予備油圧源取出口１１から圧油の供給を受ける場合について説明したが、油圧モーター２６の代わりに電気モーターを使用し、電力を小型のショベル系の掘削作業機Ａから供給するようにしても良い。
【００４３】
油圧モーター２６の回転は、駆動軸３３から駆動プーリー３４−駆動ベルト３５−プーリー２９とプーリー３１を経て回転カッター３０と回転カッター３２を回転させる。これら回転カッター３０と回転カッター３２が回転してから、図示されていない制御装置により油圧シリンダー２３を伸縮操作させることにより、回転カッター３０と回転カッター３２を備えた可動フレーム２５を可動フレーム２５の中央部を揺動中心として左右いずれかの方向に揺動し、回転カッター３０と回転カッター３２の刃先をコンクリート製のＵ字溝ブロックの切断する箇所に合わせ切断する。
【００４４】
このとき、回転カッター３０と回転カッター３２の側に設けられている冷却水ホース３６から回転カッター３０と回転カッター３２の刃先に向けて放水することにより、切断による回転カッターの刃先を冷却すると共に、コンクリート製のＵ字溝ブロックの切断の際に発生する粉塵の飛散を防止する。
【００４５】
回転カッター３０と回転カッター３２の刃先をコンクリート製のＵ字溝ブロックの切断する側壁１６に合わせる際、コンクリート製のＵ字溝ブロック側壁１６の両外側面側にある土で保持されているので、Ｕ字溝ブロック側壁１６の上部に回転カッターの刃先を押し当てても対抗力があり、Ｕ字溝ブロック側壁１６の上端部が単に外側に拡がることなく、回転カッター３０と回転カッター３２でＵ字溝ブロック側壁１６の上部を切断することができる。
【００４６】
このようにしてＵ字溝ブロック側壁１６の上部を切断すると、手押し移動式のＵ字溝切断装置の機台フレーム１７の後部に設けられた把手取付けブラケット４１に枢止された把手４２を作業者が押して手押し移動式のＵ字溝切断装置を次の未切断のコンクリート製のＵ字溝ブロック部分に移動させ、前述した作業工程を順次繰り返しながら、利用されなくなったＵ字溝の上部を次々に切断し、コンクリート製のＵ字溝ブロックの上部切断作業終了後、コンクリート製のＵ字溝ブロックの上部に断面Ｌ字形のブロックを載置する。
【００４７】
このように、本発明のＵ字溝切断用アタッチメントは、アタッチメント駆動用の動力源も作業機本体側に標準装備と共に、予め予備装備されている予備油圧源取出口から供給されることで、作業機本体側では、Ｕ字溝切断用アタッチメントを取付けるため特別の加工を行うことなく容易に転用できる。また、動力源として別体のものを使用しないので作業現場が煩雑にならない。また、回転カッターによってコンクリート製のＵ字溝ブロックの上部を切断するので、従来のハンマーとタガネとのハツリ作業に比して、作業効率も良く、設計通りの寸法に切断でき、切断したコンクリート片が飛散しない等の効果を奏する。
【００４８】
また、手押し式のＵ字溝切断装置Ｂを使用した切断作業では、小型のショベル系の掘削作業機Ａからアタッチメント駆動用の動力源として予め予備装備されている予備油圧源取出口から圧油の供給を受けるだけであるので、小型のショベル系の掘削作業機Ａは、手押し式のＵ字溝切断装置Ｂの近くで通常の掘削作業をすることも可能である。
【００４９】
【発明の効果】
以上説明したように、本発明のＵ字溝切断用アタッチメントにおいて、アタッチメント駆動用の動力源も作業機本体側に標準装備と共に、予め予備装備されている予備駆動源取出口から供給されることで、作業機本体側では、Ｕ字溝切断用アタッチメントを取付けるため特別の加工を行うことなく容易に転用できる。動力源として別体のものを使用しないので、作業現場が煩雑にならない。可動フレームの下面の前端部及び後端部には、それぞれ回転カッターが設けられているので、本発明のＵ字溝切断装置では前端部に設けた回転カッターと後端部に設けた回転カッターとにより左右のＵ字溝のブロックをＵ字溝切断装置の走行に伴い同時に切断することができる。また、回転カッターによってコンクリート製のＵ字溝ブロックの上部を切断するので、従来のハンマーとタガネとのハツリ作業に比して、作業効率も良く、設計通りの寸法に切断でき、切断したコンクリート片が飛散しない等の効果を奏する。
【００５０】
また、手押し式のＵ字溝切断装置での切断作業では、小型のショベル系の掘削作業機からアタッチメント駆動用の動力源として予め予備装備されている予備駆動源取出口から供給を受けるだけであるので、小型のショベル系の掘削作業機は、手押し式のＵ字溝切断装置の近くで通常の掘削作業をすることも可能である。
【図面の簡単な説明】
【図１】アームの先端に本発明のＵ字溝切断用アタッチメントを装備した小型のショベル系の掘削作業機の概略側面図、
【図２】図１の平面図、
【図３】本発明のＵ字溝切断用アタッチメントの側面図、
【図４】本発明のＵ字溝切断用アタッチメントをＵ字溝内に配置した平面図、
【図５】本発明のＵ字溝切断用アタッチメントをＵ字溝内で作業状態に配置した平面図、
【図６】手押し移動式のＵ字溝切断装置の概略側面図、
【図７】本発明の手押し移動式のＵ字溝切断装置をＵ字溝内に配置した平面図である。
【符号の説明】
Ａ  小型のショベル系の掘削作業機、  Ｂ  Ｕ字溝切断用アタッチメント、
１  下部走行体、  ２  上部旋回体、  ３  地均し用ブレード、
４  ブーム支持体、  ５  ブーム、  ６  アーム、  ７  四節リンク、
８  ブーム用油圧シリンダー、  ９  アーム用油圧シリンダー、
１０  四節リンク用油圧シリンダー、  １１  予備油圧源取出口、
１２  油圧ホース、  １３  取付けブラケット、  １４  取付孔、
１５  油圧ホース接続口、  １６  コンクリート製のＵ字溝ブロック側壁、
１７  機台フレーム、  １８  取付軸、  １９  取付けブラケットフレーム、
２０  取付軸、  ２１  ボルト、  ２２  油圧シリンダー取付軸、
２３  油圧シリンダー、  ２４  枢軸、  ２５  可動フレーム、
２６  油圧モーター、  ２７  円筒体、  ２７ａ  ベアリング、
２７ｂ  ベアリング、  ２８  支持台、  ２９  プーリー、
３０  回転カッター、  ３１  プーリー、  ３２  回転カッター、
３３  駆動軸、  ３４  駆動プーリー、  ３５  駆動ベルト、
３６  冷却用水ホース、  ３７  車、  ３８  高さ調整ネジ、  ３９  脚、
４０  ネジヘッド、  ４１  把手取付けブラケット、  ４２  把手、
４３  切取り部分。
【図１】
0003842979.tif 000002
【図２】
0003842979.tif 000003
【図３】
0003842979.tif 000004
【図４】
0003842979.tif 000005
【図５】
0003842979.tif 000006
【図６】
0003842979.tif 000007
【図７】
0003842979.tif 000008